(57)【要約】【課題】小型軽量化を図ることができ、製造コストの低減を図ることもできる電子黒板装置を提供することを目的とする。【解決手段】少なくとも１面の記載面１０２を有し往復動可能なベルト式の記載手段１０１と、記載面１０２に記載された情報を、記載手段１０１の移動方向１１１，１１３と直交する方向で、記載面１０２を少なくとも２つの領域１０７，１０８に分けて読み取る読取手段１０３と、読取手段１０３を前記直交方向へ往復移動させる直交駆動手段１０５と、読取手段１０３が読み取った情報を記憶し合成する記憶合成手段とを備えている。記憶合成手段は、読取手段１０３が少なくとも２つの領域１０７，１０８に分けて読み取った記載面１０２の情報を記憶し合成して、記載面１０２の全領域の情報を再構築する。このため、読取手段１０３の大きさを従来品より小さくできる。【選択図】　図１
2004015392.tif 000002
【特許請求の範囲】
【請求項１】
少なくとも１面の記載面を有し往復動可能なベルト式の記載手段と、
前記記載面に記載された情報を、記載手段の移動方向と直交する方向で記載面を少なくとも２つの領域に分けて読み取る読取手段と、
この読取手段を前記直交方向へ往復移動させる直交駆動手段と、
前記読取手段が読み取った情報を記憶し合成する記憶合成手段とを備えていることを特徴とする電子黒板装置。
【請求項２】
前記読取手段は、前記記載面に記載された情報を、記載面に密着させられて読み取る密着型のラインセンサーであることを特徴とする請求項１に記載の電子黒板装置。
【請求項３】
前記読取手段は、前記記載面に記載された情報を記載面から離れた位置で読み取る離間型のラインセンサーと、そのラインセンサー上に記載面の像を結像させる光学レンズとを備えていることを特徴とする請求項１に記載の電子黒板装置。
【請求項４】
前記記載面を照明する照明手段を備え、前記直交駆動手段は、前記読取手段と共に照明手段を前記直交方向へ往復移動させるものであることを特徴とする請求項１乃至３の何れか一項に記載の電子黒板装置。
【請求項５】
前記照明手段は発光ダイオードを光源とするものであることを特徴とする請求項４に記載の電子黒板装置。
【請求項６】
前記読取手段は、前記記載面に記載された情報を、前記直交方向で記載面を２つの領域に分けて読み取るものであり、前記記載手段が一方向へ移動する際に、前記記載面の半分の領域に記載された情報を読み取り、記載手段が反対方向へ復帰する際に、記載面の残り半分の領域に記載された情報を読み取ることを特徴とする請求項１乃至５の何れか一項に記載の電子黒板装置。
【請求項７】
少なくとも１面の記載面を有し往復動可能なベルト式の記載手段と、
前記記載面に記載された情報を記載面から離れた位置より、記載手段の移動方向と直交する方向で記載面を少なくとも２つの領域に分けて読み取る離間型のラインセンサーと、
このラインセンサー上に前記記載面の像を結像させる光学レンズと、
前記ラインセンサーを前記直交方向へ往復移動させる直交駆動手段と、
前記ラインセンサーが読み取った情報を記憶し合成する記憶合成手段とを備えていることを特徴とする電子黒板装置。
【請求項８】
前記ラインセンサーは、前記記載面に記載された情報を記載面から離れた位置より、前記直交方向で記載面を２つの領域に分けて読み取るものであり、前記記載手段が一方向へ移動する際に、記載面の半分の領域に記載された情報を読み取り、記載手段が反対方向へ復帰する際に、記載面の残り半分の領域に記載された情報を読み取ることを特徴とする請求項７に記載の電子黒板装置。
【請求項９】
前記記載面の情報を前記ラインセンサーが前記領域に分けて読み取る分割読取位置と、記載面全面の情報を前記ラインセンサーが一度に読み取る全面読取位置との間で、前記記載手段の移動方向に沿った方向へラインセンサーを往復移動させる平行駆動手段と、
前記分割読取位置のラインセンサー上に前記光学レンズが記載面の像を結像させる拡大レンズ位置と、前記全面読取位置のラインセンサー上に光学レンズが記載面の像を縮小して結像させる縮小レンズ位置との間で、記載手段の移動方向に沿った方向へ光学レンズを往復移動させるレンズ駆動手段とを備えていることを特徴とする請求項７又は８に記載の電子黒板装置。
【発明の詳細な説明】
【０００１】
【発明の属する技術分野】
本発明は、記載面に記載された情報を記録紙に印刷可能な電子黒板装置に関するものである。
【０００２】
【従来の技術】
昨今、多くの会議の場において電子黒板装置が用いられ、会議の途中や終了時に電子黒板装置への記載内容を複写して議事録を作成する等、会議を効果的に進めることが行われている。
【０００３】
図５は、従来品の一例を示す正面図である。この電子黒板装置は、黒板本体２０１に、キャスター２０４を備えた脚部が設けられており、会議室等の使用場所まで手で押しての移動が可能であると共に、壁等の支えや固定が不要で自立が可能な自立式可動型のものとなっている。黒板本体２０１は、情報が記載される記載面２０２を備えている。電子黒板装置には、固定した記載面２０２を有するものや複数の記載面２０２を有するものがある。複数の記載面２０２を有するものは、通常、操作部２０３に設けた記載面２０２の送りスイッチを操作することにより、ベルト状のフイルムが右方向又は左方向へ移動し、あらかじめ設定された複数のポジションに自動的に停止して、複数の異なる記載面２０２が順次使用できるようになっている。記載面２０２への書き込みは、通常、フェルトペン等で行われる。操作部２０３には、電子黒板装置の電源スイッチ、複写スイッチ、記載面２０２の送りスイッチ等のスイッチ類、及び複写用のプリンタ部等が搭載されている。
【０００４】
図６は、図５に示す従来品の内部を模式的に示す斜視図である。図６に示すように、電子黒板装置は、記載面２０２を構成するベルト式のフイルム２０５と、記載面２０２を照明する蛍光灯２０６と、記載面２０２の光を反射する鏡２０７を備えている。記載面２０２に記載された情報を記載面２０２から離れた位置で読み取る離間型のラインセンサー２０９と、ラインセンサー２０９上に記載面２０２の像を結像させる光学レンズ２０８も備えている。
【０００５】
この電子黒板装置を使用する際には、電子黒板装置を使用場所に設置し、記入者はフェルトペンで記載面２０２に議事内容等を記載する。もし記載内容に不要な部分が発生すれば、専用のイレーサー（図示せず）で消すことも可能である。記載内容を複写する場合は、操作部２０３にある複写スイッチを押す。このとき、記載面２０２に記載された情報は、鏡２０７によって光路を折り曲げられ、光学レンズ２０８によってラインセンサー２０９上に縮小、結像する。結像された情報は、ラインセンサー２０９によって電気信号に変換され、操作部２０３内の制御部で画像処理された後、内蔵された感熱式等のプリンタ等により縮小されて記録紙に印刷される。
【０００６】
また、複数の記載面２０２を持つ電子黒板装置の場合は、操作部２０３に設けられた記載面２０２の送りスイッチを操作することにより、ベルト状のフイルム２０５を右方向又は左方向へ送って新たな記載面２０２を設定し、この新たな記載面２０２に議事を記載することも可能である。このように、電子黒板装置を使用すれば、効果的に会議を進行させることができると共に、議事録等の資料を即座に作成することができ、出席者への内容の徹底と改めて資料を作成する時間の短縮が図られる。
【０００７】
【発明が解決しようとする課題】
ところで、電子黒板装置では記載面２０２が黒板としての機能を有する関係上、通常、Ａ０サイズ程度の大きさの記載面２０２が用いられており、記載面２０２の大きさに対応して、記載面２０２の情報を読み取る読取装置の大きさも大きくなっている。従って、従来の電子黒板装置には、前記読取装置が電子黒板装置の重量の増大を招いていると共に電子黒板装置の小型化の妨げになっており、電子黒板装置の製造コストを高いものにしている、という問題がある。特に、離間型のラインセンサー２０９に代えて、記載面２０２に密着させられて記載面２０２の情報を読み取る密着型のラインセンサーを用いる場合には、この密着型のラインセンサーの大きさが大きくなり、前記問題が顕著になっている。
【０００８】
そこで、本発明は、小型軽量化を図ることができ、製造コストの低減を図ることもできる電子黒板装置を提供することを目的としている。
【０００９】
【課題を解決するための手段】
本発明の電子黒板装置は、少なくとも１面の記載面を有し往復動可能なベルト式の記載手段と、前記記載面に記載された情報を、記載手段の移動方向と直交する方向で記載面を少なくとも２つの領域に分けて読み取る読取手段と、この読取手段を前記直交方向へ往復移動させる直交駆動手段と、前記読取手段が読み取った情報を記憶し合成する記憶合成手段とを備えている。このため、本発明によれば、小型軽量化を図ることができ、製造コストの低減を図ることもできる電子黒板装置が得られる。
【００１０】
【発明の実施の形態】
本発明の請求項１に記載の発明は、少なくとも１面の記載面を有し往復動可能なベルト式の記載手段と、記載面に記載された情報を、記載手段の移動方向と直交する方向で記載面を少なくとも２つの領域に分けて読み取る読取手段と、この読取手段を直交方向へ往復移動させる直交駆動手段と、読取手段が読み取った情報を記憶し合成する記憶合成手段とを備えていることを特徴とする電子黒板装置である。このため、読取手段は、記載手段の記載面に記載された情報を少なくとも２つの領域に分けて読み取り、記憶合成手段は、読取手段が少なくとも２つの領域に分けて読み取った記載面の情報を記憶し合成して、記載面の全領域の情報を再構築する、という作用を有する。
【００１１】
本発明の請求項２に記載の発明は、請求項１に記載の電子黒板装置であって、読取手段は、記載面に記載された情報を、記載面に密着させられて読み取る密着型のラインセンサーであることを特徴としている。このため、読取手段の光学系が単純となり、読取手段の構造が簡単になるという作用を有する。
【００１２】
本発明の請求項３に記載の発明は、請求項１に記載の電子黒板装置であって、読取手段は、記載面に記載された情報を記載面から離れた位置で読み取る離間型のラインセンサーと、そのラインセンサー上に記載面の像を結像させる光学レンズとを備えていることを特徴としている。このため、読取装置の大きさが記載面のサイズに左右されないという作用を有する。
【００１３】
本発明の請求項４に記載の発明は、請求項１乃至３の何れか一項に記載の電子黒板装置であって、記載面を照明する照明手段を備え、直交駆動手段は、読取手段と共に照明手段を直交方向へ往復移動させるものであることを特徴としている。このため、照明手段は記載面全面を照明する必要がなく、記載面における読取装置が読み取る領域を照明するものであれば良い、という作用を有する。
【００１４】
本発明の請求項５に記載の発明は、請求項４に記載の電子黒板装置であって、照明手段は発光ダイオードを光源とするものであることを特徴としている。このため、照明手段の小型軽量化を図ることができるという作用を有する。
【００１５】
本発明の請求項６に記載の発明は、請求項１乃至５の何れか一項に記載の電子黒板装置であって、読取手段は、記載面に記載された情報を、直交方向で記載面を２つの領域に分けて読み取るものであり、記載手段が一方向へ移動する際に、記載面の半分の領域に記載された情報を読み取り、記載手段が反対方向へ復帰する際に、記載面の残り半分の領域に記載された情報を読み取ることを特徴としている。このため、読取手段は、記載面に記載された情報を、記載手段が一往復する間に読み取るという作用を有する。
【００１６】
本発明の請求項７に記載の発明は、少なくとも１面の記載面を有し往復動可能なベルト式の記載手段と、記載面に記載された情報を記載面から離れた位置より、記載手段の移動方向と直交する方向で記載面を少なくとも２つの領域に分けて読み取る離間型のラインセンサーと、このラインセンサー上に記載面の像を結像させる光学レンズと、ラインセンサーを直交方向へ往復移動させる直交駆動手段と、ラインセンサーが読み取った情報を記憶し合成する記憶合成手段とを備えていることを特徴としている。このため、ラインセンサーは、記載手段の記載面に記載された情報を少なくとも２つの領域に分けて読み取り、記憶合成手段は、ラインセンサーが少なくとも２つの領域に分けて読み取った記載面の情報を記憶し合成して、記載面の全領域の情報を再構築する、という作用を有する。
【００１７】
本発明の請求項８に記載の発明は、請求項７に記載の電子黒板装置であって、ラインセンサーは、記載面に記載された情報を記載面から離れた位置より、直交方向で記載面を２つの領域に分けて読み取るものであり、記載手段が一方向へ移動する際に、記載面の半分の領域に記載された情報を読み取り、記載手段が反対方向へ復帰する際に、記載面の残り半分の領域に記載された情報を読み取ることを特徴としている。このため、ラインセンサーは、記載面に記載された情報を、記載手段が一往復する間に読み取るという作用を有する。
【００１８】
本発明の請求項９に記載の発明は、請求項７又は８に記載の電子黒板装置であって、記載面の情報をラインセンサーが領域に分けて読み取る分割読取位置と、記載面全面の情報をラインセンサーが一度に読み取る全面読取位置との間で、記載手段の移動方向に沿った方向へラインセンサーを往復移動させる平行駆動手段と、分割読取位置のラインセンサー上に光学レンズが記載面の像を結像させる拡大レンズ位置と、全面読取位置のラインセンサー上に光学レンズが記載面の像を縮小して結像させる縮小レンズ位置との間で、記載手段の移動方向に沿った方向へ光学レンズを往復移動させるレンズ駆動手段とを備えていることを特徴としている。このため、ラインセンサーは、分割読取位置では、記載面に記載された情報を高解像度で読み取り、全面読取位置では、記載面に記載された情報を低解像度で読み取るという作用を有する。
【００１９】
以下、本発明の実施の形態について、図１から図４を用いて説明する。
【００２０】
（実施の形態１）
図１は、本発明の実施の形態１に係る電子黒板装置の内部を模式的に示す斜視図である。本実施の形態１では、記載面１０２に記載された情報を読み取る読取手段１０３は、記載面１０２に密着させられて前記情報を読み取る密着型のラインセンサーである。図１に示すように、この電子黒板装置は、少なくとも１面の記載面１０２を有し往復動可能なベルト式のフイルムである記載手段１０１と、記載面１０２を照明する蛍光灯等の照明手段１０４とを備えている。また、読取手段１０３及び照明手段１０４を記載手段１０１の移動方向とは直交する方向へ往復移動させるＹ軸テーブル等の直交駆動手段１０５も備えている。この直交駆動手段１０５によって読取手段１０３は、記載面１０２上半分の上部領域１０７を読み取る読取位置１０９と、記載面１０２の下半分の下部領域１０８を読み取る読取位置１１０との間を往復移動する。
【００２１】
電子黒板装置の使用方法については、従来の技術で既に説明しているので省略する。ここでは、記載面１０２に記載された情報を読取手段１０３が読み取る読取動作について説明する。電子黒板装置の起動時には、読取手段１０３は読取位置１０９にある。会議の終わり、あるいは、会議の途中において、電子黒板装置の記載面１０２に記載された情報（記載内容）を印刷する場合は、操作部の複写スイッチを押す。
【００２２】
これにより、記載手段１０１が矢印１１１の方向へ移動し、同時に照明手段１０４によって記載面１０２の上部領域１０７が照らされ、読取手段１０３によって記載面１０２の上部領域１０７の情報が読み取られる。この後、読取手段１０３及び照明手段１０４は、直交駆動手段１０５によって読取位置１０９から読取位置１１０に移動し、記載手段１０１は、矢印１１３の方向へ移動して、記載面１０２が印刷起動前の元の位置に復帰する。記載面１０２が復帰のため矢印１１３の方向へ移動した移動量は、記載面１０２が矢印１１１の方向へ移動した移動量と同じである。
【００２３】
記載面１０２が元の位置に復帰する際には、照明手段１０４は、記載面１０２の下部領域１０８を照らし、読取手段１０３は、記載面１０２の下部領域１０８の情報を読み取る。この読み取った下部領域１０８の情報は、記載面１０２の上部領域１０７の情報とは時間的に逆方向になっている。このため、読取手段１０３が読み取った情報を記憶し合成する図外の記憶合成手段は、読取手段１０３が読み取った記載面１０２の下部領域１０８の情報を時間的に逆にして上部領域１０７の情報と合成する。その合成された情報は、感熱式のプリンタ等によって記録紙に印刷される。
【００２４】
以上説明したように、本実施の形態１では、読取手段１０３は、記載手段１０１の記載面１０２に記載された情報を記載面１０２の上部領域１０７と下部領域１０８とに分けて読み取る。照明手段１０４は、記載面１０２を上部領域１０７と下部領域１０８とに分けて照らす。このため、読取手段１０３及び照明手段１０４の大きさを従来品の半分の大きさにすることができ、電子黒板装置の小型軽量化を図ることができる。また、読取手段１０３に用いられる電荷結合素子（以下「ＣＣＤ」という）等の読取素子の個数を従来品の半分にすることができ、照明手段１０４を小型のものに変更することもできるので、電子黒板装置の製造コストの低減を図ることもできる。
【００２５】
また、照明手段１０４を小型化できるため、照明手段１０４の最大消費電力を下げることもできる。照明手段１０４として発光ダイオードを用いた場合には、照明手段１０４を更に小型軽量化することができる。また、照明手段１０４の駆動が簡単になると共に、読取手段１０３と照明手段１０４とを往復移動させる直交駆動手段１０５の小型軽量化を図ることもできる。
【００２６】
更に、本実施の形態１では、読取手段１０３は、記載面１０２に記載された情報を、記載面１０２が一往復する間に読み取る。このため、記載面１０２に記載された情報を、読取手段１０３による読取時間の長時間化を抑えて読み取ることもできる。
【００２７】
なお、本実施の形態１では、直交駆動手段１０５は、読取手段１０３と照明手段１０４とを往復移動させている。しかし、直交駆動手段１０５は、読取手段１０３のみを往復移動させても良い。従って、照明手段１０４は、図６に示す従来品の蛍光灯２０６と同様に固定されて、記載面１０２の全領域を照明するものであっても良い。また、本実施の形態１では、読取手段は密着型のラインセンサーで説明した。しかし、読取手段は、離間型のラインセンサーとセルフォック（登録商標）のようなレンズとの組み合わせであっても良く、このような組み合わせであっても本実施の形態１と同様の効果を得ることができる。
【００２８】
（実施の形態２）
図２は、本発明の実施の形態２に係る電子黒板装置の内部を模式的に示す斜視図である。なお、以下に行う実施の形態２の説明では、実施の形態１と同一の構成要素には同一の符号を付し、実施の形態１の説明と重複する説明は省略する。
【００２９】
本実施の形態２では、記載面１０２に記載された情報を記載面１０２の上部領域１０７と下部領域１０８とに分けて読み取る読取手段１４０は、記載面１０２の情報を記載面１０２から離れた位置で読み取る離間型のラインセンサー１１５と、そのラインセンサー１１５上に記載面１０２の像を結像させる光学レンズ１１６と、記載面１０２の光を反射する鏡１１７とから構成されている。図２に示すように、この電子黒板装置は、記載面１０２を照明する蛍光灯等の照明手段１８と、読取手段１４０及び照明手段１１８を記載手段１０１の移動方向とは直交する方向へ往復移動させるＹ軸テーブル等の直交駆動手段１１９とを備えている。この直交駆動手段１１９によって読取手段１４０は、記載面１０２の上部領域１０７を読み取る読取位置１２０と、記載面１０２の下部領域１０８を読み取る読取位置１２１との間で往復移動する。
【００３０】
電子黒板装置の起動時には、読取手段１４０は読取位置１２０にある。会議の終わり、あるいは、会議の途中において、電子黒板装置の記載面１０２に記載された情報（記載内容）を印刷する場合は、操作部の複写スイッチを押すことにより、記載手段１０１が矢印１１１の方向へ移動し、同時に照明手段１１８によって記載面１０２の上部領域１０７が照らされ、読取手段１４０によって記載面１０２の上部領域１０７の情報が読み取られる。
【００３１】
この後、読取手段１４０及び照明手段１１８は、直交駆動手段１１９によって読取位置１２０から読取位置１２１に移動し、記載手段１０１は、矢印１１３の方向へ移動して、記載面１０２が印刷起動前の元の位置に復帰する。記載面１０２が復帰のため矢印１１３の方向へ移動した移動量は、記載面１０２が矢印１１１の方向へ移動した移動量と同じである。
【００３２】
記載面１０２が元の位置に復帰する際には、照明手段１１８は、記載面１０２の下部領域１０８を照らし、読取手段１４０は、記載面１０２の下部領域１０８の情報を読み取る。この読み取った下部領域１０８の情報は、記載面１０２の上部領域１０７の情報とは時間的に逆方向になっている。このため、読取手段１４０が読み取った情報を記憶し合成する図外の記憶合成手段は、読取手段１４０が読み取った記載面１０２の下部領域１０８の情報を時間的に逆にして上部領域１０７の情報と合成する。その合成された情報は、感熱式のプリンタ等によって記録紙に印刷される。
【００３３】
以上説明したように、本実施の形態２では、読取手段１４０は、記載面１０２に記載された情報を記載面１０２から離れた位置で読み取る離間型のラインセンサー１１５と、そのラインセンサー１１５上に記載面１０２の像を結像させる光学レンズ１１６と、記載面１０２の光を反射する鏡１１７とから構成されている。このため、セルフォック（登録商標）のような特殊な光学レンズが不要となり、製造コストの低減を図ることができる。また、ラインセンサー１１５として小型のラインセンサーを使用することができ、光学レンズ１１６との組み合わせによる読取手段１４０の設計自由度が大きくなる。
【００３４】
（実施の形態３）
図３は、本発明の実施の形態３に係る電子黒板装置の内部を模式的に示す斜視図である。なお、以下に行う実施の形態３の説明では、実施の形態１と同一の構成要素には同一の符号を付し、実施の形態１の説明と重複する説明は省略する。
【００３５】
本実施の形態３に係る電子黒板装置は、記載面１０２に記載された情報を記載面１０２から離れた位置で、記載面１０２の上部領域１０７と下部領域１０８とに分けて読み取る離間型のラインセンサー１２２を備えている。また、ラインセンサー１２２上に記載面１０２の像を結像させる光学レンズ１２３と、記載面１０２の光を反射する鏡１２４も備えている。更に、記載面１０２全面を照明する蛍光灯等の照明手段１２５と、記載手段１０１の移動方向とは直交する方向へラインセンサー１２２を往復移動させるＹ軸テーブル等の直交駆動手段１２６も備えている。この直交駆動手段１２６によって、ラインセンサー１２２は、記載面１０２の上部領域１０７を読み取る読取位置１２７と、記載面１０２の下部領域１０８を読み取る読取位置１２８との間を往復移動する。
【００３６】
電子黒板装置の起動時には、ラインセンサー１２２は読取位置１２７に位置にある。会議の終わり、あるいは、会議の途中において、電子黒板装置の記載面１０２に記載された情報（記載内容）を印刷する場合は、操作部の複写スイッチを押すことにより、記載手段１０１が矢印１１１の方向へ移動し、同時に照明手段１２５によって記載面１０２が照らされ、ラインセンサー１２２によって記載面１０２の上部領域１０７の情報が読み取られる。
【００３７】
この後、ラインセンサー１２２は、直交駆動手段１２６によって読取位置１２７から読取位置１２８に移動し、記載手段１０１は、矢印１１３の方向へ移動して、記載面１０２が印刷起動前の元の位置に復帰する。記載面１０２が復帰のため矢印１１３の方向へ移動した移動量は、記載面１０２が矢印１１１の方向へ移動した移動量と同じである。
【００３８】
記載面１０２が元の位置に復帰する際に、ラインセンサー１２２は、記載面１０２の下部領域１０８の情報を読み取る。この読み取った下部領域１０８の情報は、記載面１０２の上部領域１０７の情報とは時間的に逆方向になっている。このため、ラインセンサー１２２が読み取った情報を記憶し合成する図外の記憶合成手段は、ラインセンサー１２２が読み取った記載面１０２の下部領域１０８の情報を時間的に逆にして上部領域１０７の情報と合成する。その合成された情報は、感熱式のプリンタ等によって記録紙に印刷される。
【００３９】
以上説明したように、本実施の形態３では、ラインセンサー１２２は、記載手段１０１の記載面１０２に記載された情報を記載面１０２の上部領域１０７と下部領域１０８とに分けて読み取る。このため、ラインセンサー１２２の大きさを従来品の半分の大きさにすることができ、電子黒板装置の小型軽量化を図ることができる。また、ラインセンサー１２２に用いられる電荷結合素子（以下「ＣＣＤ」という）等の読取素子の個数を従来品の半分にすることができ、従って、電子黒板装置の製造コストの低減を図ることもできる。
【００４０】
また、本実施の形態３では、ラインセンサー１２２は、記載面１０２に記載された情報を、記載手段１０１が一往復する間に読み取る。このため、記載面１０２に記載された情報を、ラインセンサー１２２による読取時間の長時間化を抑えて読み取ることもできる。直交駆動手段１２６によって直交方向へ往復移動させるのはラインセンサー１２２だけであるため、直交駆動手段１２６の小型軽量化を図ることもできる。
【００４１】
（実施の形態４）
図４は、本発明の実施の形態４に係る電子黒板装置の内部を模式的に示す斜視図である。なお、以下に行う実施の形態４の説明では、実施の形態３と同一の構成要素には同一の符号を付し、実施の形態３の説明と重複する説明は省略する。
【００４２】
図４に示すように、この電子黒板装置は、記載手段１０１の移動方向と直交する方向へラインセンサー１２２を往復移動させるＹ軸テーブル等の直交駆動手段１２９と、記載手段１０１の移動方向に沿った方向へラインセンサー１２２を往復移動させるＸ軸テーブル等の平行駆動手段１５１とを備えている。また、光学レンズ１２３を記載手段１０１の移動方向に沿った方向へ往復移動させるＸ軸テーブル等のレンズ駆動手段１５２も備えている。
【００４３】
直交駆動手段１２９によって、ラインセンサー１２２は、記載面１０２の上部領域１０７を読み取る読取位置１３０と、記載面１０２の下部領域１０８を読み取る読取位置１３１との間を、記載面１０２中央の中央位置１３２を経由して往復移動する。平行駆動手段１５１によって、ラインセンサー１２２は、記載面１０２を上下に２分割して読み取る分割読取位置１３３と、記載面１０２全面を一度に読み取る全面読取位置１３４との間で往復移動もする。レンズ駆動手段１５２によって光学レンズ１２３は、分割読取位置１３３のラインセンサー１２２上に記載面１０２の像を結像させる拡大レンズ位置１３５と、全面読取位置１３４のラインセンサー１２２上に記載面１０２の像を縮小して結像させる縮小レンズ位置１３６との間で往復移動する。
【００４４】
ここで、記載面１０２に記載された情報をラインセンサー１２２が記載面１０２を上下に２分割して読み取る場合について説明する。電子黒板装置の起動時には、ラインセンサー１２２は読取位置１３０に位置し、光学レンズ１２３は拡大レンズ位置１３５に位置にある。会議の終わり、あるいは、会議の途中において、電子黒板装置の記載面１０２に記載された情報（記載内容）を印刷する場合は、操作部の複写スイッチを押すことにより、記載手段１０１が矢印１１１の方向へ移動し、同時に照明手段１２５によって記載面１０２が照らされ、ラインセンサー１２２によって記載面１０２の上部領域１０７の情報が読み取られる。
【００４５】
この後、ラインセンサー１２２は、直交駆動手段１２９によって読取位置１３０から読取位置１３１に移動し、記載手段１０１は、矢印１１３の方向へ移動して、記載面１０２が印刷起動前の元の位置に復帰する。記載面１０２が復帰のため矢印１１３の方向へ移動した移動量は、記載面１０２が矢印１１１の方向へ移動した移動量と同じである。
【００４６】
記載面１０２が元の位置に復帰する際に、ラインセンサー１２２は、記載面１０２の下部領域１０８の情報を読み取る。この読み取った下部領域１０８の情報は、記載面１０２の上部領域１０７の情報とは時間的に逆方向になっている。このため、ラインセンサー１２２が読み取った情報を記憶し合成する図外の記憶合成手段は、ラインセンサー１２２が読み取った記載面１０２の下部領域１０８の情報を時間的に逆にして上部領域１０７の情報と合成する。その合成された情報は、感熱式のプリンタ等によって記録紙に印刷される。
【００４７】
次に、記載面１０２に記載された情報をラインセンサー１２２が記載面１０２全体を縮小して読み取る場合について説明する。電子黒板装置の操作部の複写スイッチを押すことにより、ラインセンサー１２２は、直交駆動手段１２９によって中央位置１３２に移動した後、平行駆動手段１５１によって分割読取位置１３３から全面読取位置１３４に移動する。光学レンズ１２３は、レンズ駆動手段１５２によって拡大レンズ位置１３５から縮小レンズ位置１３６に移動する。
【００４８】
この後、記載手段１０１が矢印１１１の方向へ移動し、同時に照明手段１２５が記載面１０２を照らす。記載手段１０１の矢印１１１方向への移動の際に、ラインセンサー１２２は、記載面１０２の全領域の情報を読み取る。このとき、記載手段１０１の移動速度に対しラインセンサー１２２の情報読込み速度（サンプリング速度）を半分にすることにより、縦横のデーター比を合わせることができる。なお、ラインセンサー１２２の情報読込み速度を半分にする代わりに、記載面１０２を有する記載手段１０１を通常の２倍の速度で移動させても同様の効果が得られる。最後に、記載手段１０１は、矢印１１３の方向へ移動して、記載面１０２が印刷起動前の元の位置に復帰する。ラインセンサー１２２によって読み取られた情報は、感熱式のプリンタ等によって記録紙に印刷される。
【００４９】
以上説明したように、本実施の形態４では、ラインセンサー１２２は、分割読取位置１３３では、記載面１０２に記載された情報を高解像度で読み取り、全面読取位置１３４では、記載面１０２に記載された情報を低解像度で読み取る。このため、記載面１０２に記載された情報を、解像度が異なる２種類のパターンで印刷することができる。また、記載面１０２に記載された情報を低解像度で読み取ることができるので、印刷速度やデーター転送速度の高速化を図ることもできる。
【００５０】
【発明の効果】
本発明によって以下の効果を奏することができる。
【００５１】
請求項１記載の発明によれば、読取手段は、記載手段の記載面に記載された情報を少なくとも２つの領域に分けて読み取り、記憶合成手段は、読取手段が少なくとも２つの領域に分けて読み取った記載面の情報を記憶し合成して、記載面の全領域の情報を再構築する。このため、読取手段の大きさを従来品と比べて小さくすることができ、電子黒板装置の小型軽量化を図ることができる。また、読取手段に用いられるＣＣＤ等の読取素子の個数を従来品と比べて少なくすることができ、電子黒板装置の製造コストの低減を図ることもできる。
【００５２】
請求項２記載の発明によれば、読取手段は、記載面に記載された情報を、記載面に密着させられて読み取る密着型のラインセンサーである。このため、読取手段の光学系が単純となって読取手段の構造が簡単になり、製造コストの更なる低減を図ることができる。
【００５３】
請求項３記載の発明によれば、読取手段は、記載面に記載された情報を記載面から離れた位置で読み取る離間型のラインセンサーと、そのラインセンサー上に記載面の像を結像させる光学レンズとを備えている。このため、読取装置の大きさが記載面のサイズに左右されず、各種サイズの記載面を有する電子黒板装置への対応が容易となる。
【００５４】
請求項４記載の発明によれば、照明手段は記載面全面を照明する必要がなく、記載面における読取装置が読み取る領域を照明するものであれば良い。このため、照明手段を小型にすることができ、照明手段の最大消費電力を小さくすることもできる。
【００５５】
請求項５記載の発明によれば、照明手段は発光ダイオードを光源とするものである。このため、照明手段の小型軽量化を図ることができると共に、読取手段と照明手段とを往復移動させる直交駆動手段の小型軽量化を図ることもできる。
【００５６】
請求項６記載の発明によれば、読取手段は、記載面に記載された情報を、記載手段が一往復する間に読み取る。このため、記載面に記載された情報を、読取手段による読取時間の長時間化を抑えて読み取ることができる。
【００５７】
請求項７記載の発明によれば、ラインセンサーは、記載手段の記載面に記載された情報を少なくとも２つの領域に分けて読み取り、記憶合成手段は、ラインセンサーが少なくとも２つの領域に分けて読み取った記載面の情報を記憶し合成して、記載面の全領域の情報を再構築する。このため、ラインセンサーの大きさを従来品と比べて小さくすることができ、電子黒板装置の小型軽量化を図ることができる。また、ラインセンサーに用いられるＣＣＤ等の読取素子の個数を従来品と比べて少なくすることができ、電子黒板装置の製造コストの低減を図ることもできる。
【００５８】
請求項８記載の発明によれば、ラインセンサーは、記載面に記載された情報を、記載手段が一往復する間に読み取る。このため、記載面に記載された情報を、ラインセンサーによる読取時間の長時間化を抑えて読み取ることができる。
【００５９】
請求項９記載の発明によれば、ラインセンサーは、分割読取位置では、記載面に記載された情報を高解像度で読み取り、全面読取位置では、記載面に記載された情報を低解像度で読み取る。このため、記載面に記載された情報を、解像度が異なる２種類のパターンで出力することができる。また、記載面に記載された情報を低解像度で読み取ることができるので、印刷速度やデーター転送速度の高速化を図ることもできる。
【図面の簡単な説明】
【図１】本発明の実施の形態１に係る電子黒板装置の内部を模式的に示す斜視図
【図２】本発明の実施の形態２に係る電子黒板装置の内部を模式的に示す斜視図
【図３】本発明の実施の形態３に係る電子黒板装置の内部を模式的に示す斜視図
【図４】本発明の実施の形態４に係る電子黒板装置の内部を模式的に示す斜視図
【図５】従来品の一例を示す正面図
【図６】図５に示す従来品の内部を模式的に示す斜視図
【符号の説明】
１０１　記載手段
１０２　記載面
１０３　読取手段（密着型のラインセンサー）
１０４，１１８，１２５　照明手段
１０５，１１９，１２６，１２９　直交駆動手段
１０７　上部領域
１０８　下部領域
１０９，１１０，１２０，１２１，１２７，１２８，１３０，１３１　読取位置
１１１，１１３　矢印
１１５，１２２　ラインセンサー
１１６，１２３　光学レンズ
１１７，１２４　鏡
１３２　中央位置
１３３　分割読取位置
１３４　全面読取位置
１３５　拡大レンズ位置
１３６　縮小レンズ位置
１４０　読取手段
１５１　平行駆動手段
１５２　レンズ駆動手段
【図１】
2004015392.tif 000003
【図２】
2004015392.tif 000004
【図３】
2004015392.tif 000005
【図４】
2004015392.tif 000006
【図５】
2004015392.tif 000007
【図６】
2004015392.tif 000008